(57)【要約】【課題】未知媒体に対するデータ記録時におけるＯＰＣの精度を確保し得る光ディスク装置及びＯＰＣ方式の選択方法を提案する。【解決手段】光ディスクにおけるデータの記録品質を評価する評価方式として、再生信号の振幅の非対象性を表わすβ値を用いるβ方式または再生信号の変調度を用いるκ方式を実行する光ディスク装置において、強度の異なる記録パワーによって記録されたデータを再生し、再生されたデータに基づいてβ値とジッタ値をそれぞれ取得し、この取得されたβ値が強度の異なる記録パワーに対して既定要件を満たすことを条件に、光ディスクにおけるデータの記録品質を評価する評価方式としてβ方式を選択し、このβ方式が選択された場合には、取得されたジッタ値に基づいてターゲットβ値を設定するようにした。【選択図】図３
2009129516.tif 000002
【特許請求の範囲】
【請求項１】
光ディスクにおけるデータの記録品質を評価する評価方式として、再生信号の振幅の非対象性を表わすβ値を用いるβ方式または再生信号の変調度を用いるκ方式を実行する光ディスク装置であって、
強度の異なる記録パワーによって記録されたデータを再生する再生部と、
前記再生部により再生された前記データに基づいてβ値を取得するβ値取得部と、
前記再生部により再生された前記データに基づいてジッタ値を取得するジッタ値取得部と、
前記β値取得部により取得されたβ値が前記強度の異なる記録パワーに対して既定要件を満たすことを条件に、前記評価方式として前記β方式を選択する選択部と、
前記選択部により前記β方式が選択された場合に、前記ジッタ値取得部により取得されたジッタ値に基づいてターゲットβ値を設定する設定部と
を備えることを特徴とする光ディスク装置。
【請求項２】
前記ジッタ値取得部は、
前記β値取得部が前記再生部により再生されたデータに基づいてβ値を取得するタイミングで、前記β値取得部が前記β値を取得する前記データに基づいてジッタ値を取得することを特徴とする光ディスク装置。
【請求項３】
前記設定部は、
前記ジッタ値取得部により取得されたジッタ値から最小値を算出し、前記算出された最小値に対応するβ値を前記ターゲットβ値に設定することを特徴とする請求項１に記載の光ディスク装置。
【請求項４】
前記選択部は、
前記光ディスクが未知媒体である場合に、前記β値取得部により取得されたβ値が前記強度の異なる記録パワーに対して前記既定要件を満たすことを条件に、前記評価方式として前記β方式を選択することを特徴とする請求項１に記載の光ディスク装置。
【請求項５】
前記選択部は、
前記β値取得部により取得されたβ値と前記強度の異なる記録パワーとの間に一次近似の関係が成立する場合に、前記評価方式として前記β方式を選択することを特徴とする請求項１に記載の光ディスク装置。
【請求項６】
前記選択部は、
前記β値取得部により取得されたβ値が前記規定要件を満たさない場合には、前記評価方式として前記κ方式を選択することを特徴とする請求項１に記載の光ディスク装置。
【請求項７】
光ディスクにおけるデータの記録品質を評価する評価方式として、再生信号の振幅の非対象性を表わすβ値を用いるβ方式または再生信号の変調度を用いるκ方式を選択する評価方式の選択方法であって、
強度の異なる記録パワーによって記録されたデータを再生する工程と、
前記再生された前記データに基づいてβ値とジッタ値を取得する工程と、
前記取得されたβ値が前記強度の異なる記録パワーに対して既定要件を満たすことを条件に、前記光ディスクにおけるデータの記録品質を評価する評価方式として前記β方式を選択する選択部と、
前記β方式が選択された場合に、前記取得されたジッタ値に基づいてターゲットβ値を設定する工程と
を備えることを特徴とする評価方式の選択方法。
【請求項８】
前記ターゲットβ値を設定する工程は、
前記取得されたジッタ値から最小値を算出し、前記算出された最小値に対応するβ値を前記ターゲットβ値に設定することを特徴とする請求項７に記載の評価方式の選択方法。
【請求項９】
前記β値を選択する工程は、
前記光ディスクが未知媒体である場合に、前記取得されたβ値が前記強度の異なる記録パワーに対して前記既定要件を満たすことを条件に、前記評価方式として前記β方式を選択することを特徴とする請求項７に記載の評価方式の選択方法。
【請求項１０】
前記β値を選択する工程は、
前記取得されたβ値と前記強度の異なる記録パワーとの間に一次近似の関係が成立する場合に、前記評価方式として前記β方式を選択することを特徴とする請求項７に記載の評価方式の選択方法。
【請求項１１】
前記β値を選択する工程は、
前記取得されたβ値が前記既定要件を満たさない場合には、前記評価方式として前記κ方式を選択することを特徴とする請求項７に記載の評価方式の選択方法。
【発明の詳細な説明】
【技術分野】
【０００１】
本発明は、光ディスク装置及びデータの記録品質を評価する評価方式の選択方法に関し、特に未知媒体に対してデータの記録品質を評価する光ディスク装置に適用して好適なものである。
【背景技術】
【０００２】
従来、光ディスク装置では、光ディスクにデータを記録する際、データの記録品質を評価するためにＯＰＣ（Optimum Power Calibration）と呼ばれる記録パワーの調整処理が行われている。ＯＰＣでは、データの記録を行う前に、光ディスクの最内周等に設けられた試書き領域に既定のデータを試書きし、その試書きしたデータの再生波形に基づいて最適な記録パワーを決定する。ＯＰＣの方式としては、例えば、再生信号の振幅の非対象性を表わすβ値を指標とするβ方式や、再生信号の変調度を指標とするκ方式などが提案されている。
【０００３】
下記特許文献１〜４には、このようなＯＰＣに関する技術が開示されている。
【特許文献１】特開２００５−１２２８９６号公報
【特許文献２】特開２００７−１５７１９６号公報
【特許文献３】特開２００５−２０９２４３号公報
【特許文献４】特開２００７−１４９５３８号公報
【発明の開示】
【発明が解決しようとする課題】
【０００４】
ところで、例えば、光ディスクであるブルーレイディスクには、上述したＯＰＣのβ方式に使用するパラメータとκ方式に使用するパラメータの両方がＤＩ情報として予め記録されている。よって、光ディスク装置は、ブルーレイディスクにデータを記録する際は、ＤＩ情報のこれらのパラメータを利用してβ方式又はκ方式に従うＯＰＣを行うことができる。
【０００５】
ここで、β方式とκ方式を比較すると、β方式はκ方式よりも精度の高い結果が得られるものの、対象となるブルーレイディスクが所定の特性を備えていなければならないという制約がある。一方、κ方式は、どのような特性のブルーレイディスクに対しても適用することが可能であるが、β方式よりも精度が低くなるため信頼性に欠け易い。このようなβ方式とκ方式の特徴に鑑み、光ディスク装置には、例えばブルーレイディスクの種類ごとに最適なＯＰＣ方式の情報が予め記憶されている。光ディスク装置は、あるブルーレイディスクにデータを記録しようとするときは、光ディスク装置内の情報を参照して、当該ブルーレイディスクに最適なＯＰＣ方式を決定することができる。
【０００６】
しかし、データを記録しようとするブルーレイディスクが光ディスク装置の製造後に発売されたもの等である場合には、光ディスク装置内に当該ブルーレイディスクの情報は記録されていない。従って、対象とするブルーレイディスクが光ディスク装置にとって未知媒体である場合は、どのような特性の光ディスクに対しても適用することができるκ方式が採用される場合が多いところ、ＯＰＣの精度を確保するという観点からすれば、未知媒体に対しても、β方式を適用することが望ましい。
【０００７】
また、ブルーレイディスクのＤＩ情報には、上述したようにβ方式及びκ方式にそれぞれ対応するパラメータが記憶されており、例えば、β方式にはターゲットβ値が記憶されている。かかるターゲットβ値は、ブルーレイディスクの製造工程で得られたβ値に基づいて各製造メーカが設定する。しかし、ブルーレイディスクへデータを記録することで得られるβ値は、当該ブルーレイディスクの特性によって異なるだけでなく、当該ブルーレイディスクへデータを記録する光ディスク装置によっても異なる可能性がある。よって、ブルーレイディスクのＤＩ情報に含まれるターゲットβ値が、当該光ディスク装置においてそのブルーレイディスクへデータを記録する場合にも、最適な値を有するとは限らない。
【０００８】
光ディスク装置には、上述したように既知媒体の情報が格納されているので、この光ディスク装置内の情報にβ方式やκ方式のパラメータが含まれている場合には、これを利用することも可能であるが、光ディスクが未知媒体である場合には、光ディスク装置内のパラメータを利用することもできない。
【０００９】
本発明は以上の点を考慮してなされたものであり、光ディスク装置が未知媒体の光ディスクに対してデータを記録する場合であっても、精度のよいＯＰＣを実施することができる光ディスク装置及び評価方式の選択方法を提案するものである。
【課題を解決するための手段】
【００１０】
かかる課題を解決するため本発明においては、光ディスクにおけるデータの記録品質を評価する評価方式として、再生信号の振幅の非対象性を表わすβ値を用いるβ方式または再生信号の変調度を用いるκ方式を実行する光ディスク装置において、強度の異なる記録パワーによって記録されたデータを再生する再生部と、前記再生部により再生された前記データに基づいてβ値を取得するβ値取得部と、前記再生部により再生された前記データに基づいてジッタ値を取得するジッタ値取得部と、前記β値取得部により取得されたβ値が前記強度の異なる記録パワーに対して既定要件を満たすことを条件に、前記評価方式として前記β方式を選択する選択部と、前記選択部により前記β方式が選択された場合に、前記ジッタ値取得部により取得されたジッタ値に基づいてターゲットβ値を設定する設定部とを備えるようにした。
【００１１】
また、本発明においては、光ディスクにおけるデータの記録品質を評価する評価方式として、再生信号の振幅の非対象性を表わすβ値を用いるβ方式または再生信号の変調度を用いるκ方式を選択する評価方式の選択方法において、強度の異なる記録パワーによって記録されたデータを再生する工程と、前記再生された前記データに基づいてβ値とジッタ値を取得する工程と、前記取得されたβ値が前記強度の異なる記録パワーに対して既定要件を満たすことを条件に、前記光ディスクにおけるデータの記録品質を評価する評価方式として前記β方式を選択する選択部と、前記β方式が選択された場合に、前記取得されたジッタ値に基づいてターゲットβ値を設定する工程とを備えるようにした。
【発明の効果】
【００１２】
本発明によれば、光ディスク装置が未知媒体へデータを記録する場合であっても、当該未知媒体の特性を考慮した上で、β方式の選択とターゲットβ値の設定を行うことができるため、未知媒体に対するＯＰＣの精度を確保することができる。
【発明を実施するための最良の形態】
【００１３】
以下、本発明の実施形態の構成・動作について図面を用いて説明する。
【００１４】
（１）本実施の形態による光ディスク装置の構成
図１は本実施の形態による光ディスク装置１を示す。この光ディスク装置１は、記録媒体としてのＢＤ、ＤＶＤ及びＣＤの３タイプの光ディスク２に対応しており、ホストコンピュータ３からの要求に応じて、これら光ディスク２にデータを記録し又はこれら光ディスク２に記録されたデータを再生し得るように構成されている。
【００１５】
光ディスク装置１においては、ディジタル・シグナル・プロセッサ（ＤＳＰ：Digital Signal Processor）１４の制御のもとに、モータ駆動部１０がスピンドルモータ１１を駆動することにより、所定状態に装填された光ディスク２を当該光ディスク２の記録方式（例えばＣＡＶ方式又はＣＬＶ方式）に応じた回転状態で回転させる。
【００１６】
また光ディスク装置１においては、ホストコンピュータ部３から送信される各種コマンドがインタフェース部１２を介してマイクロコンピュータ部１３に与えられる。
【００１７】
マイクロコンピュータ部１３は、ＣＰＵ（Central Processing Unit）及び各種制御プログラムが格納された内部メモリ１３Ａを備えて構成され、ホストコンピュータ３から与えられるコマンドや、ディジタル・シグナル・プロセッサ１４から与えられる各種情報に応じて必要な制御処理や演算処理を実行する。
【００１８】
例えば、マイクロコンピュータ部１３は、ホストコンピュータ３から記録コマンドが与えられた場合には、インタフェース部１２を制御して、この後ホストコンピュータ３から送信される記録対象のデータをディジタル・シグナル・プロセッサ１４に送出させる。
【００１９】
ディジタル・シグナル・プロセッサ１４は、インタフェース部１２を介して与えられる記録対象のデータに対して変調処理を含む所定の信号処理を施し、かくして得られた記録信号を駆動信号としてレーザ駆動部１５に送出する。
【００２０】
レーザ駆動部１５は、ディジタル・シグナル・プロセッサ１４から与えられる駆動信号に基づいて、光ピックアップ１６内の図示しないレーザダイオードを点滅駆動する。この結果、かかる駆動信号（記録信号）の内容に応じた点滅パターン及び当該駆動信号の信号レベルに応じた光量のレーザ光Ｌ１がレーザダイオードから発射され、このレーザ光ＬＩが光ピックアップ１６内の図示しないフォーカスレンズを介して光ディスク２の記録面２Ａに集光される。これにより記録対象のデータが光ディスク２に記録される。
【００２１】
また、かかるレーザ光Ｌ１の光ディスク２における反射光Ｌ２は、光ピックアップ１６内の図示しないフォトディテクタにより光電変換される。また、この光電変換により得られたＲＦ（Radio Frequency）信号がアナログ／ディジタル変換部１７においてディジタル変換されて、ディジタルＲＦ信号としてディジタル・シグナル・プロセッサ１４に与えられる。
【００２２】
ディジタル・シグナル・プロセッサ１４は、供給されるディジタルＲＦ信号に基づいて、フォーカスエラー信号やトラッキングエラー信号及び回転制御信号などの各種制御信号を生成する。かくして、これらフォーカスエラー信号及びトラッキングエラー信号に基づいて光ピックアップ１６内の図示しない２軸アクチュエータが制御され、これによりフォーカス制御やトラッキング制御が行なわれる。また回転制御信号はモータ駆動部１０に与えられ、この回転制御信号に基づいて、モータ駆動部１０によりスピンドルモータ１１の回転制御が行なわれる。
【００２３】
さらに光ピックアップ１６内のレーザダイオードから発射されたレーザ光Ｌ１の一部は、フォーカスレンズに入射する前に分光されて、光ピックアップ１６内の図示しないＡＰＣ制御用のフォトディテクタにより光電変換される。また、この光電変換により得られたＲＦ信号がアナログ／ディジタル変換部１７においてディジタル変換された後にディジタルＲＦ信号としてディジタル・シグナル・プロセッサ１４に与えられる。
【００２４】
ディジタル・シグナル・プロセッサ１４は、このディジタルＲＦ信号に基づいて、記録パワーがＡＰＣ制御用に予め設定された目標とする記録パワーとなるように、レーザ駆動部１５に送出する駆動信号の信号レベルを制御する。
【００２５】
一方、マイクロコンピュータ部１３は、インタフェース部１２を介してホストコンピュータ３からの再生コマンドを受信すると、ディジタル・シグナル・プロセッサ１４を制御することにより、所定の制御信号をレーザ駆動部１５に送出させる。
【００２６】
レーザ駆動部１５は、供給される制御信号に基づいて、光ピックアップ１６内のレーザダイオードを所定電圧で点灯駆動する。この結果、このレーザダイオードから所定パワーのレーザ光が発射され、このレーザ光が上述のフォーカスレンズを介して光ディスク２の記録面２Ａに集光される。
【００２７】
このレーザ光Ｌ１の光ディスク２における反射光Ｌ２は、光ピックアップ１６内のかかるフォトディテクタにより光電変換され、かくして得られたＲＦ信号がアナログ／ディジタル変換部１７においてディジタル変換されてディジタルＲＦ信号としてディジタル・シグナル・プロセッサ１４に与えられる。
【００２８】
ディジタル・シグナル・プロセッサ１４は、供給されるディジタルＲＦ信号に対して復調処理等の処理の再生信号処理を施し、かくして得られた再生されたデータをインタフェース部１２を介してホストコンピュータ３に送出する。
【００２９】
またディジタル・シグナル・プロセッサ１４は、データ記録時と同様にして、かかるディジタルＲＦ信号に基づいてフォーカスエラー信号やトラッキングエラー信号及び回転制御信号などの各種制御信号を生成する。かくして、これらフォーカスエラー信号、トラッキングエラー信号及び回転制御信号に基づいて、データ記録時と同様にして、フォーカス制御、トラッキング制御及びスピンドルモータ１１の回転制御が行なわれる。
【００３０】
（２）本実施の形態の光ディスク装置におけるＯＰＣ方式の選択処理
次に、光ディスク装置１に採用されたＯＰＣ方式の選択処理について図２〜図５を用いて説明する。
【００３１】
本実施の形態に係る光ディスク装置１は、光ディスク２に対するデータ記録時のＯＰＣ方式（記録パワー制御方式）として、β方式とκ方式をそれぞれ採用している。β方式は、再生波形の振幅の非対象性を表わすβ値を指標とし、目標となるβ値（ターゲットβ値）を設定し、このターゲットβ値が得られる記録パワーをもとに最適記録パワーを制御する方式である。κ方式は、再生波形の振幅の大きさを最大振幅との比率で表す変調度ｍを指標とし、目標となる変調度ｍ値（ターゲットｍ値）を設定し、このターゲットｍ値が得られる記録パワーをもとに最適記録パワーを制御する方式である。
【００３２】
光ディスク２には、光ディスク２に関する情報がＤＩ情報として予め製造メーカによって記録されており、このＤＩ情報には、β方式に用いるパラメータとκ方式に用いるパラメータの両方が含まれている。
【００３３】
光ディスク装置１は、光ディスク２が既知媒体である場合は、ＯＰＣを実行する前に、メモリ１３Ａに記憶する情報に従ってβ方式又はκ方式のいずれかを選択する一方、光ディスク２が未知媒体である場合には、後述するＯＰＣ方式の選択処理に基づいて光ディスク２に最適なＯＰＣ方式を選択する。
【００３４】
ここで、光ディスク装置１では、装填された光ディスク２が既知媒体であるか未知媒体であるかを判断するための手段として、マイクロコンピュータ部１３のメモリ１３Ａに、図２に示すようなディスク判別テーブル２０を備えている。
【００３５】
ディスク判別テーブル２０は、各メーカが販売する光ディスク２に関する情報を管理するためのテーブルである。ディスク判別テーブル２０には、例えば、光ディスク２を特定するディスク名（Disc）、メーカを特定するマニュファクチュアＩＤ（Manufacture ID）及び光ディスクの種類を特定するタイプＩＤ（Type ID）等の情報がパラメータとして対応づけて格納される。
【００３６】
光ディスク装置１のマイクロコンピュータ部１３は、光ディスク２が装填されると、そのリード領域やアウター領域に格納された当該光ディスク２のＤＩ情報を読み出し、これに対応する情報をディスク判別テーブル２０から読み出す。そして、マイクロコンピュータ部１３は、これら読み出した情報が一致するか否かを判断する。例えば、マイクロコンピュータ部１３は、マニュファクチュアＩＤ及びタイプＩＤをそれぞれ光ディスク２と判別テーブル２０から読み出して、これらが一致するかどうかを判断する。なお、どの情報を読み出して一致させるかは、光ディスク２や光ディスク装置１の仕様に応じて設定することができる。
【００３７】
マイクロコンピュータ部１３は、光ディスク２内のＤＩ情報とディスク判別テーブル２０の情報が一致する場合は、光ディスクは既知媒体であると判断し、ＤＩ情報が一致しない場合は、光ディスクは未知媒体であると判断する。マイクロコンピュータ部１３は、光ディスクが未知媒体か否かを示す所定の情報をメモリ１３Ａに格納しておく。
【００３８】
図３は、ＯＰＣ方式の選択処理の処理手順を示すフローチャートである。本実施の形態における光ディスク装置１によるＯＰＣ方式の選択処理は、マイクロコンピュータ部１３のメモリＡに格納された制御プログラムに基づいて、当該マイクロコンピュータ部１３の制御のもとに実行される。
【００３９】
マイクロコンピュータ部１３は、ホストコンピュータ３から記録コマンド（Write要求）が与えられると、図３に示す処理を実行する（ＳＰ０）。
【００４０】
まず、マイクロコンピュータ部１３は、光ディスク装置１に装填された光ディスク２が未知媒体であるか否かを判断する（ＳＰ１）。未知媒体か否かの判断は、上述したように、光ディスクが未知媒体か否かを示す所定の情報が既にメモリ１３Ａに記憶されている場合は、この所定の情報を参照して判断することができる。また、光ディスク２からＤＩ情報を読み出してディスク判別テーブル２０の情報と照合することによって、未知媒体か否かを判断しても良い。
【００４１】
マイクロコンピュータ部１３は、この未知媒体の判断において肯定結果を得た場合には（ＳＰ１;Ｙｅｓ）、本実施の形態に係るＯＰＣ方式の選択処理を開始する。一方、マイクロコンピュータ部１３は、未知媒体の判断において否定結果を得た場合は（ＳＰ１;Ｎｏ）、既知媒体であるので、ディスク判別テーブル２０を参照するなどして光ディスク２のＯＰＣ方式を選択し（図示せず）、選択したＯＰＣ方式を実行する（ＳＰ１０）。
【００４２】
マイクロコンピュータ部１３は、装填された光ディスク２が未知媒体であると判断した場合は、ＯＰＣを実行する前に、未知媒体である光ディスク２の特性、具体的には記録パワー対βの直線性を調べ、光ディスク２がβ方式に適しているか否かを判断する。
【００４３】
具体的には、マイクロコンピュータ部１３は、ディジタル・シグナル・プロセッサ１４及び図示しないシークモータ等を制御するようにして、記録パワーの強度を段階的に変化させつつ、光ディスク２上の所定の領域（試書き領域）に所定のデータの試書きを行わせる（ＳＰ２）。試書き領域は、例えば、光ディスク２の内周部や外周部に設けられている。
【００４４】
本実施の形態では、推奨記録パワーの８０％から１２０％の範囲を、ほぼ等間隔に１４段階に分けることで記録パワーの強度が段階的に変化するように設定している。推奨記録パワーの値は、光ディスク２のＤＩ情報から取得する。なお、記録パワーの強度を変化させる条件は、これに限られず、光ディスク装置１や光ディスク２の仕様等を考慮して任意に設定することができる。
【００４５】
次に、マイクロコンピュータ部１３は、ディジタル・シグナル・プロセッサ１４及び図示しないシークモータ等を制御するようにして、試書き領域に記録されたデータを順次再生し、記録パワー毎にβ値を測定する（ＳＰ３）。マイクロコンピュータ部１３は、記録パワー毎にβ値を測定する際に、記録パワー毎のジッタ（Jitter）値も同時に測定する（ＳＰ４）。
【００４６】
ここでβ値の測定について説明する。マイクロコンピュータ部１３は、ディジタル・シグナル・プロセッサ１４及び図示しないシークモータ等を制御することにより、強度の異なる記録パワーで記録された試書きデータを順次再生する。このとき得られたＲＦ信号は、ディジタル変換部１７を介してディジタル・シグナル・プロセッサ１４に順次与えられる。
ディジタル・シグナル・プロセッサ１４は、供給されるディジタルＲＦ信号に対して復調処理等の所定の信号処理を施し、その結果得られる再生信号に基づいて、次式、
［数１］
β＝（ａ１＋ａ２）／（ａ１−ａ２）                          ……（１）
で与えられる演算を実行する。そしてディジタル・シグナル・プロセッサ１４は、かかる演算により得られた測定β値をマイクロコンピュータ部１３に送出する。
【００４７】
この（１）式において、ａ１は再生信号の最大レベルを示し、ａ２は再生信号の最小レベルを示す。また、ディジタル・シグナル・プロセッサ１４は、算出したβ値をマイクロコンピュータ部１３に送出する。図４は、このようにして得られた記録パワー毎のβ値を表わしている。
【００４８】
また、ジッタ値の測定について説明する。ディジタル・シグナル・プロセッサ１４は、例えばＴＩＡ（Time Interval Analyzer）機能により、上述したβ値を測定するために得られた再生信号から該再生信号のジッタの値（以下、これを「ジッタ値」と呼ぶ）を測定し、測定結果をマイクロコンピュータ部１３に送出する。この測定結果は、後述する本実施の形態によるターゲットβ値の算出処理に利用される。図５は、このようにして得られた記録パワー毎のジッタ値を表わしている。
【００４９】
次に、マイクロコンピュータ部１３は、記録パワー毎のβ値をディジタル・シグナル・プロセッサ１４から取得すると、記録パワーとβ値との関係が、規定要件を満たすか否かを判断する（ＳＰ５）。本実施の形態では、マイクロコンピュータ部１３は、得られたβ値と記録パワーとの間に一次近似の関係が成立している場合に、規定要件を満たすと判断する（ＳＰ５）。
【００５０】
例えば、図４に示すように、マイクロコンピュータ部１３は、推奨記録パワーに対応するβ値Ｂ１を中心に所定数（例えば前後５点）のβ値を計測し、計測されたβ値の差が所定パーセント（例えば１５％）以上、かつ、その所定パーセントの中に入っているβ値が所定数（例えば８点）以上であれば、両者は一次近似していると判断する。なお、一次近似を判断する際の条件は、これに限られず、光ディスク装置１や光ディスク２の仕様等を考慮して様々な条件に応じて設定することができる。
【００５１】
マイクロコンピュータ部１３は、この一次近似の判断において肯定結果を得ると（ＳＰ５；Ｙｅｓ）、未知媒体である光ディスク２に対するＯＰＣ方式としてβ方式を選択する（ＳＰ６）。
【００５２】
マイクロコンピュータ部１３は、β方式が選択されると、試書きで得られた記録パワー毎のジッタ値をディジタル・シグナル・プロセッサ１４から取得する。そして、これらのジッタ値に基づいて、光ディスク装置１に装填されている未知媒体である光ディスク２における記録パワーとジッタ値との関係を検出し、ジッタ値が最も低くなる点（以下、「ジッタベスト」という）を算出する（ＳＰ８）。そして、マイクロコンピュータ部１３は、図５に示すように、このジッタベストに対応する記録パワー（以下、これを「ジッタベストの記録パワー」と呼ぶ）を算出する（ＳＰ８）。
【００５３】
マイクロコンピュータ部１３は、ジッタベストの記録パワーを算出すると、このジッタベストの記録パワーのβ値を算出し（ＳＰ８）、ＯＰＣ処理に用いるターゲットβ値（Target Beta）に設定する（ＳＰ９）。ターゲットβ値は、β方式のＯＰＣ処理において最適記録パワーを決定するための情報であり、ＯＰＣを実行した際に、このターゲットβ値が得られる記録パワーをもとに最適記録パワーが決定される。
【００５４】
そして、マイクロコンピュータ部１３は、ディジタル・シグナル・プロセッサ１４及び図示しないシークモータ等を制御するようにして、未知媒体である記録媒体２に対して選択されたＯＰＣ方式を実行する（ＳＰ１０）。すなわち、ディジタル・シグナル・プロセッサ１４は、上述の一次近似の判断において肯定結果が得られた場合には（ＳＰ５；Ｙｅｓ）、未知媒体である記録媒体２に対してβ方式に従うＯＰＣを実行する。このβ方式のＯＰＣにおいて使用されるターゲットβ値には、試書きにより得られたジッタベストのβ値が設定されている。β方式に従うＯＰＣ処理については、既知の技術を利用することができる。
【００５５】
一方、マイクロコンピュータ部１３は、上述した一次近似の判断において否定結果を得た場合には（ＳＰ５；Ｎｏ）、ディジタル・シグナル・プロセッサ１４及び図示しないシークモータ等を制御するようにして、変調度を用いるκ方式を実行する。ディジタル・シグナル・プロセッサ１４がκ方式に従いＯＰＣ処理を実行する構成については、既知の技術を利用することができる。
【００５６】
（３）本実施の形態の効果
以上のように、本実施の形態による光ディスク装置１では、光ディスク２が未知媒体の場合には、ＯＰＣを実行する前に、光ディスク２における記録パワーとβの関係を検出して、β方式とκ方式のうちいずれの方式を採用するかを決定しているので、未知媒体に対して最適なＯＰＣ方式を適用することが可能になる。これにより、光ディスク２へのデータ記録時のＯＰＣの精度を確保することができる。
【００５７】
また、本実施の形態による光ディスク装置１では、記録パワーとジッタの関係を検出し、検出したジッタ値中のジッタベストに対応するβ値をターゲットβ値に設定しているので、データ記録時における当該光ディスク装置１と光ディスク２の特性や状態に最適なターゲットβ値が設定される。
【００５８】
さらに、本実施の形態による光ディスク装置１では、試書きによりβ値を測定する際にジッタ値も同時に測定するようにしているので、ターゲットβ値設定のために別途試書きを行う必要がない。
【００５９】
（４）他の実施の形態
上述の実施の形態においては、本発明をＢＤ、ＤＶＤ及びＣＤに対応した光ディスク装置１に適用する場合について説明したが、本発明はこれに限られず、データの記録時に、データの記録品質を評価するためにＯＰＣを実行する光ディスク装置であれば、広くこれを適用することができる。
【００６０】
さらに上述の実施の形態においては、ジッタベストのβ値が設定されたターゲットβ値を、データを記録する前に行うＯＰＣの制御で使用する場合について述べたが、本発明はこれに限られず、例えば、データの記録処理中に行うウォーキングＯＰＣの制御でも使用することができる。
【００６１】
さらに上述の実施の形態においては、光ディスク２に対するデータの記録時に、光ディスク２に記録されたデータを再生する再生部を、マイクロコンピュータ部１３、ディジタル・シグナル・プロセッサ１４及び光ピックアップ１６等で構成するようにしたが、本発明はこれに限られず、再生部の構成としては、その他種々の構成を用いて広く適用することができる。
【００６２】
さらに上述の実施の形態においては、この再生部により再生されたデータに基づいてβ値を取得するβ値取得部と当該データに基づいてジッタ値を取得するジッタ値取得部を、ディジタル・シグナル・プロセッサ１４により構成する場合について述べたが、本発明はこれに限られず、β値取得部及びジッタ値取得部の構成としては、その他種々の構成を用いて広く適用することができる。
【００６３】
さらに上述の実施の形態においては、選択部と設定部を、光ディスク装置１全体の動作制御を司るマイクロコンピュータ部１３により構成するようにしたが、本発明はこれに限られず、かかる部の機能の一部又は全部をディジタル・シグナル・プロセッサ１４に割り当てるようにしてもよい。また、マイクロコンピュータ部１３とは別にＣＰＵ等のプロセッサを設け、かかる部としての機能の一部又は全部をそのプロセッサに割り当てるようにしても良い。
【図面の簡単な説明】
【００６４】
【図１】本実施の形態による光ディスク装置の構成を示すブロック図である。
【図２】ディスク判別テーブルの説明に供する図である。
【図３】ＯＰＣ方式選択処理の処理手順を示すフローチャートである。
【図４】記録パワーとβ値との関係の一例を示す図である。
【図５】記録パワーとジッタ値との関係の一例を示す図である。
【符号の説明】
【００６５】
１……光ディスク装置、２……光ディスク、３……ホストコンピュータ、１３……マイ
クロコンピュータ部、１３Ａ……メモリ、１４……ディジタル・シグナル・プロセッサ、
１６……光ピックアップ、２０……ディスク判別テーブル。
【図１】
2009129516.tif 000003
【図２】
2009129516.tif 000004
【図３】
2009129516.tif 000005
【図４】
2009129516.tif 000006
【図５】
2009129516.tif 000007